(57)【特許請求の範囲】
【請求項１】
床下地面上にシート床材を固定して敷設するためのシート床材の敷設方法であって、
前記床下地面上の前記シート床材の端部同士の継目となる位置の下方に表された基準線の上に、両面粘着テープを貼り付け、
前記両面粘着テープの上面に前記シート床材の端部を固定し、
前記シート床材をめくり上げて、前記床下地面上の残る箇所に接着剤を塗布し、その上に前記シート床材の残りの部分を貼り付け固定して、前記床下地面上に前記シート床材を固定して敷設することを特徴とするシート床材の敷設方法。
【請求項２】
前記両面粘着テープとして、前記床下地面に貼り付けた際に、前記基準線が透けて見えるものを用いることを特徴とする請求項１に記載のシート床材の敷設方法。
【請求項３】
前記床下地面上に張り付けられた前記両面粘着テープの側面に接着材を塗布することを特徴とする請求項１又は２に記載のシート床材の敷設方法。
【請求項４】
前記両面粘着テープとして、前記床下地面上に塗布される前記接着剤の厚さと略同じ厚さの薄いものを用いることを特徴とする請求項１乃至３のいずれか１項に記載のシート床材の敷設方法。
【請求項５】
前記両面粘着テープとして、上面側に剥離シートが設けられたものを用いることを特徴とする請求項１乃至４のいずれか１項に記載のシート床材の敷設方法。
【請求項６】
前記両面粘着テープとして、アクリル構造を含む材料から成るものを用いることを特徴とする請求項１乃至４のいずれか１項に記載のシート床材の敷設方法。
【発明の詳細な説明】
【技術分野】
【０００１】
本発明は、床下地面上にシート床材を固定して敷設するためのシート床材の敷設方法及びシート床材の敷設構造に関するものである。
【背景技術】
【０００２】
従来から、床下地面上にシート床材を固定して敷設するための技術は、数多く提案され、実施に供されている。
【０００３】
例えば、特許文献１では、シート床材同士間の継目を容易且つ精度良く施工することができるシート床材の敷設方法が開示されている。
【先行技術文献】
【特許文献】
【０００４】
【特許文献１】特開平０９−１２５６６６号公報
【発明の概要】
【発明が解決しようとする課題】
【０００５】
しかしながら、従来の多くのシート床材の敷設方法では、継目の部分の下側が接着剤なので、長期間経つと、徐々に剥がれてきて、特に防水性が低下してしまう。
【０００６】
なお、特許文献１に開示されたシート床材の敷設方法では、防水性を保つためにシート床材の継目を溶接してしまっているが、貼り替えの際に大変手間が掛かるという問題がある。
【０００７】
そこで、本発明は、熟練者でなくても容易且つ精度良く施工することができ、シート床材間の継目の防水性を長期間保つことができるうえに、貼り替えの際に手間が掛からないシート床材の敷設方法及びシート床材の敷設構造を提供することを目的としている。
【課題を解決するための手段】
【０００８】
前記目的を達成するために、本発明のシート床材の敷設方法は、床下地面上にシート床材を固定して敷設するためのシート床材の敷設方法であって、前記床下地面上の前記シート床材の端部同士の継目となる位置の下方に表された基準線の上に、両面粘着テープを貼り付け、前記両面粘着テープの上面に前記シート床材の端部を固定し、前記床下地面上の残る箇所に接着剤を塗布し、その上に前記シート床材の残りの部分を貼り付け固定して、前記床下地面上に前記シート床材を固定して敷設することを特徴とする。
【０００９】
ここで、前記両面粘着テープとして、前記床下地面に貼り付けた際に、前記基準線が透けて見えるものを用いるとよい。
【００１０】
また、前記両面粘着テープとして、前記床下地面上に塗布される前記接着剤の厚さと略同じ厚さの薄いものを用いるとよい。
【００１１】
さらに、前記両面粘着テープとして、上面側に剥離シートが設けられたものを用いるとよい。
【００１２】
また、前記両面粘着テープとして、防水性の高い材料から成るものを用いるとよい。
【００１３】
本発明のシート床材の敷設構造は、床下地面上にシート床材を固定して敷設するためのシート床材の敷設構造であって、前記床下地面上に両面粘着テープが貼り付けられ、該両面粘着テープの上面に一対の前記シート床材の端部が対向するように固定され、継目が形成されており、前記床下地面上の残る部分と前記シート床材の残る部分との間に接着剤が充填され、前記床下地面上に前記シート床材が固定して敷設されていることを特徴とする。
【発明の効果】
【００１４】
このような本発明のシート床材の敷設方法は、床下地面上にシート床材を固定して敷設するためのシート床材の敷設方法であって、床下地面上のシート床材の端部同士の継目となる位置の下方に表された基準線の上に、両面粘着テープを貼り付け、両面粘着テープの上面にシート床材の端部を固定し、床下地面上の残る箇所に接着剤を塗布し、その上にシート床材の残りの部分を貼り付け固定して、床下地面上にシート床材を固定して敷設する構成とされている。
【００１５】
上記した構成なので、床下地面上の基準線の上に両面粘着テープを貼り付け、シート床材の端部を両面粘着テープに貼り付けて固定してから残る部分を接着剤で貼り付け固定するだけの手順で、熟練者でなくても容易且つ精度良く施工することができる。
また、シート床材間の継目の下方が両面粘着テープなので、シート床材間の継目の防水性を長期間保つことができる。
そのうえ、シート床材間の継目は溶接しないので、この部分から剥がすことができ、貼り替えの際に手間が掛からない。
【００１６】
ここで、両面粘着テープとして、床下地面に貼り付けた際に、基準線が透けて見えるものを用いる場合は、透けて見える基準線を沿って、シート床材の端部をより正確に貼り付け固定することができる。
【００１７】
また、両面粘着テープとして、床下地面上に塗布される接着剤の厚さと略同じ厚さの薄いものを用いる場合は、シート床材間の継目とその他の部分との段差を無くすことができる。
【００１８】
さらに、両面粘着テープとして、上面側に剥離シートが設けられたものを用いる場合は、シート床材を貼り付ける前に両面粘着テープの上面の粘着性が低下するのを防止することができる。
【００１９】
また、両面粘着テープとして、防水性の高い材料から成るものを用いる場合は、シート床材間の継目の防水性をより高めることができる。
【００２０】
このような本発明のシート床材の敷設構造は、床下地面上にシート床材を固定して敷設するためのシート床材の敷設構造であって、床下地面上に両面粘着テープが貼り付けられ、両面粘着テープの上面に一対のシート床材の端部が対向するように固定され、継目が形成されており、床下地面上の残る部分とシート床材の残る部分との間に接着剤が充填され、床下地面上にシート床材が固定して敷設された構成とされている。
【００２１】
上記した構成なので、床下地面上の基準線の上に両面粘着テープを貼り付け、シート床材の端部を両面粘着テープに貼り付けて固定してから残る部分を接着剤で貼り付け固定するだけの手順で、熟練者でなくても容易且つ精度良く施工することができる。
また、シート床材間の継目の下方が両面粘着テープなので、シート床材間の継目の防水性を長期間保つことができる。
そのうえ、シート床材間の継目は溶接しないので、この部分から剥がすことができ、貼り替えの際に手間が掛からない。
【図面の簡単な説明】
【００２２】
【図１】実施例のシート床材の敷設方法の段階を示す図である。
【図２】実施例のシート床材の敷設方法の段階を示す図である。
【図３】実施例のシート床材の敷設方法の段階を示す図である。
【図４】実施例のシート床材の敷設方法の段階を示す図である。
【図５】図４におけるＡ−Ａ線矢視拡大断面図であって、実施例のシート床材の敷設構造の概略構造を示す説明図である。
【発明を実施するための形態】
【００２３】
以下、本発明を実施するための形態を、図面に示す実施例に基づいて説明する。
【実施例】
【００２４】
先ず、実施例のシート床材の敷設方法について説明する。
初めに、図１に示したように、床下地１の面上に、この床下地１の長手方向の中心部に基準線Ｋを引く。
【００２５】
続いて、図２に示したように、この基準線Ｋの上から両面粘着テープ２を貼り付ける。
なお、この両面粘着テープ２には、基準線Ｋが透けて見える透明又は半透明のものを用いる。
また、この両面粘着テープ２には、アクリル構造等の防水性の高い材料から成り、その上面には、図示省略の剥離シートが設けられている。
さらに、この両面粘着テープ２には、後述する接着剤４の塗布する厚さと略同じ厚さの薄いものを用いる。
なお、この両面粘着テープ２は、基準線Ｋが略中央となるように貼り付ける。
【００２６】
続いて、図３に示したように、両面粘着テープ２の上面の図示省略の剥離シートを剥がし、まず手前側から、二点鎖線で示したように、ロール状に巻いたシート床材３の左側端部を床下地１の左側端部に合わせ、シート床材３の奥側端部は、基準線Ｋに合わせて、両面粘着テープ２の上面に貼り付ける。
そして、シート床材３をめくりあげて接着剤４で床下地１の面上に貼り付けた後、床下地１の面上の残る部分にも接着剤４を塗布し、図示省略の圧着ローラーで空気を抜きながら矢印の方向へ貼り付けていく。
【００２７】
こうして、奥側の床下地１の面上にも、同様に施工すると、図４に示したように、この実施例のシート床材の敷設方法が完了し、図５に示したような実施例のシート床材の敷設構造となる。
なお、基準線Ｋの上側が、シート床材３，３の継目となる。
【００２８】
次に、実施例の作用効果について説明する。
このような実施例のシート床材の敷設方法は、床下地１の面上にシート床材３，３を固定して敷設するためのシート床材の敷設方法であって、床下地１の面上のシート床材３，３の端部同士の継目となる位置の下方に表された基準線Ｋの上に、両面粘着テープ２を貼り付け、両面粘着テープ２の上面にシート床材３の端部を固定し、床下地１の面上の残る箇所に接着剤４を塗布し、その上にシート床材３の残りの部分を貼り付け固定して、床下地１の面上にシート床材３，３を固定して敷設する構成とされている。
【００２９】
上記した構成なので、床下地１の面上の基準線Ｋの上に両面粘着テープ２を貼り付け、シート床材３の端部を両面粘着テープに貼り付けて固定してから残る部分を接着剤４で貼り付け固定するだけの手順で、熟練者でなくても容易且つ精度良く施工することができる。
また、シート床材３，３間の継目の下方が両面粘着テープ２なので、シート床材３，３間の継目の防水性を長期間保つことができる。
そのうえ、シート床材３，３間の継目は溶接しないので、この部分から剥がすことができ、貼り替えの際に手間が掛からない。
【００３０】
ここで、両面粘着テープ２として、床下地１の面上に貼り付けた際に、基準線Ｋが透けて見えるものを用いる。
このため、透けて見える基準線Ｋを沿って、シート床材３，３の端部をより正確に貼り付け固定することができる。
【００３１】
また、両面粘着テープ２として、床下地１の面上に塗布される接着剤４の厚さと略同じ厚さの薄いものを用いる。
このため、シート床材３，３間の継目とその他の部分との段差を無くすことができる。
【００３２】
さらに、両面粘着テープ２として、上面側に図示省略の剥離シートが設けられたものを用いる。
このため、シート床材３，３を貼り付ける前に両面粘着テープ２の上面の粘着性が低下するのを防止することができる。
【００３３】
また、両面粘着テープ２として、アクリル構造等の防水性の高い材料から成るものを用いる。
このため、シート床材３，３間の継目の防水性をより高めることができる。
【００３４】
このような実施例のシート床材の敷設構造は、床下地１の面上にシート床材３，３を固定して敷設するためのシート床材の敷設構造であって、床下地１の面上に両面粘着テープ２が貼り付けられ、両面粘着テープ２の上面に一対のシート床材３，３の端部が対向するように固定され、継目が形成されており、床下地１の面上の残る部分とシート床材３，３の残る部分との間に接着剤４が充填され、床下地１の面上にシート床材３，３が固定して敷設された構成とされている。
【００３５】
上記した構成なので、床下地１の面上の基準線Ｋの上に両面粘着テープ２を貼り付け、シート床材３の端部を両面粘着テープ２に貼り付けて固定してから残る部分を接着剤４で貼り付け固定するだけの手順で、熟練者でなくても容易且つ精度良く施工することができる。
また、シート床材３，３間の継目の下方が両面粘着テープ２なので、シート床材３，３間の継目の防水性を長期間保つことができる。
そのうえ、シート床材３，３間の継目は溶接しないので、この部分から剥がすことができ、貼り替えの際に手間が掛からない。
【００３６】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００３７】
例えば、上記した実施例では、シート床材３，３間の継目を溶接せずに実施したが、これに限定されず、例えば、両面粘着テープ２に耐熱性のものを用いれば、溶接して実施してもよい。
【符号の説明】
【００３８】
１      床下地
２      両面粘着テープ
３      シート床材
４      接着剤
Ｋ      基準線
【図１】
0006773398.tif 000002
【図２】
0006773398.tif 000003
【図３】
0006773398.tif 000004
【図４】
0006773398.tif 000005
【図５】
0006773398.tif 000006